(57)【要約】      （修正有）【課題】ネジ穴に栓をねじ込む時において、栓のネジ部材がネジ穴に締め付けられていることを確実に、かつ、誰にでも確認できるようにすること。【解決手段】頭部の下面を環状のテーパー面としたネジ部材４と、弾性部材の中間部を円形状に曲げてなるとともに、弾性部材の一端に矩形のプレート５、中央に応力吸収部６、他端に折り曲げ部７を設けたリング状部材８と、ネジ部材４の下部を差し込むことができ、かつ、リング状部材８の外径より小さい直径の穴及び固定穴１０を有するとともに、上面左側にＯＫの文字１２、上面右側にＮＧの文字１４を表示した板状部材１５を備える締め付け状態目視確認装置１。【選択図】図１
2016169845.tif 000002
【特許請求の範囲】
【請求項１】
ネジ穴にねじ込まれる栓が、前記ネジ穴に締め付けられたことを目視で確認可能とするための締め付け状態目視確認装置であって、
頭部の下面の全部又は一部を環状のテーパー面としたネジ部材と、
線状の弾性部材の一端又は両端にプレートを有するとともに、前記弾性部材の中間部を、前記環状のテーパー面の最も小さい側の直径より大きく、最も大きい側の直径より小さい直径の円に沿った形状に曲げてなるリング状部材を備える
ことを特徴とする締め付け状態目視確認装置。
【請求項２】
前記環状のテーパー面の最も小さい側の直径より大きく、前記リング状部材の中間部の直径より小さい穴を有する板状部材をさらに備える
ことを特徴とする請求項１に記載の締め付け状態目視確認装置。
【請求項３】
前記リング状部材は、前記弾性部材の一端のみに前記プレートを有し、
前記板状部材は、その上面に前記弾性部材の他端側を固定する固定部材を有している
ことを特徴とする請求項１又は２に記載の締め付け状態目視確認装置。
【請求項４】
前記板状部材は、前記ネジ部材が前記ネジ穴に締め付けられていないとき前記プレートが位置する部分に対応する上面部分に設けられる第１の表示、又は前記ネジ部材が前記ネジ穴に締め付けられているとき前記プレートが位置する部分に対応する上面部分に設けられる第２の表示を有している
ことを特徴とする請求項３に記載の締め付け状態目視確認装置。
【請求項５】
前記板状部材は、前記ネジ部材が前記ネジ穴に締め付けられていないとき前記プレートを上方から見えないようにする遮蔽板、又は前記ネジ部材が前記ネジ穴に締め付けられているとき前記プレートを上方から見えないようにする遮蔽板を有している
ことを特徴とする請求項３又は４に記載の締め付け状態目視確認装置。
【請求項６】
前記リング状部材は、前記弾性部材の一端に設けられた第１のプレートと他端に設けられた第２のプレートを有し、
前記第１のプレート及び前記第２のプレートは、前記ネジ部材が前記ネジ穴に締め付けられていないときに少なくとも一部が重なり合うとともに、前記ネジ部材が前記ネジ穴に締め付けられているとき重なり合わないように設けられている
ことを特徴とする請求項１又は２に記載の締め付け状態目視確認装置。
【請求項７】
前記リング状部材の円周上に応力吸収部を有している
ことを特徴とする請求項１〜６に記載の締め付け状態目視確認装置。
【発明の詳細な説明】
【技術分野】
【０００１】
本発明は、地下タンク等に設けられている液面計のネジ穴に栓がねじ込まれ、ネジ穴に締め付けられていることを目視で確認可能とするための締め付け状態目視確認装置に関する。
【背景技術】
【０００２】
地下タンク等の油の在庫量を計測する液面計は、油のベーパーが飛散することを防止できるように、通常時においては液面計本体を密閉する構造になっているが、定期的に地下タンク等の内部に溜まった水を点検する必要がある。
そこで、その点検を容易に行えるようにするため、液面計のケースに点検用のネジ穴を設けるとともに、そのネジ穴を塞ぐ密封栓を取り付けることができるようになっている。
同密封栓はネジ部材の頭部の下側にＯリングを配置しておき、液面計のケースの上面に設けられているネジ穴にそのネジ部材をねじ込んで締め付け、Ｏリングを液面計のケースの上面とネジ部材の頭部下面との間に圧縮して密封する構造となっている。
しかし、密封状態の確認は目視だけでは難しく、ネジ部材を再度増し締めする等して、密封栓がしっかり締め付けられたことを確認していた。
【０００３】
ところで、ボルトをねじ込むことにより径が拡大する座金を用い、ボルトの締付確認を行えるようにすることや、ボルト頭部の座金に対する接触面の外周部を座金の拡径を案内するテーパー状面に形成することは、特許文献１（特許第４３９０５５５号公報）に開示されているように従来公知の技術である。
【０００４】
特許文献１の締付確認機能付き座金および締結部品では、図３(Ｂ)の状態を目視するようになっているが、比較的離れたところから座金の状態を目視することは困難である。
また、近くで目視できる場合においても、座金の状態を目視して締め付けが完了しているか否かを判断するためには相当の経験を要する。
【先行技術文献】
【特許文献】
【０００５】
【特許文献１】特許第４３９０５５５号公報
【発明の概要】
【発明が解決しようとする課題】
【０００６】
本発明が解決しようとする課題は、液面計のケースに設けられているネジ穴に栓をねじ込む時において、栓のネジ部材がネジ穴に締め付けられていることを確実に、かつ、誰にでも確認できるようにすることにある。
【課題を解決するための手段】
【０００７】
上記の課題を解決するための請求項１に係る発明は、ネジ穴にねじ込まれる栓が、前記ネジ穴に締め付けられたことを目視で確認可能とするための締め付け状態目視確認装置であって、頭部の下面の全部又は一部を環状のテーパー面としたネジ部材と、線状の弾性部材の一端又は両端にプレートを有するとともに、前記弾性部材の中間部を、前記環状のテーパー面の最も小さい側の直径より大きく、最も大きい側の直径より小さい直径の円に沿った形状に曲げてなるリング状部材を備えることを特徴とする。
【０００８】
上記の課題を解決するための請求項２に係る発明は、請求項１に係る発明の締め付け状態目視確認装置において、前記環状のテーパー面の最も小さい側の直径より大きく、前記リング状部材の中間部の直径より小さい穴を有する板状部材をさらに備えることを特徴とする。
【０００９】
上記の課題を解決するための請求項３に係る発明は、請求項１又は２に係る発明の締め付け状態目視確認装置において、前記リング状部材は、前記弾性部材の一端のみに前記プレートを有し、前記板状部材は、その上面に前記弾性部材の他端側を固定する固定部材を有していることを特徴とする。
【００１０】
上記の課題を解決するための請求項４に係る発明は、請求項３に係る発明の締め付け状態目視確認装置において、前記板状部材は、前記ネジ部材が前記ネジ穴に締め付けられていないとき前記プレートが位置する部分に対応する上面部分に設けられる第１の表示、又は前記ネジ部材が前記ネジ穴に締め付けられているとき前記プレートが位置する部分に対応する上面部分に設けられる第２の表示を有していることを特徴とする。
【００１１】
上記の課題を解決するための請求項５に係る発明は、請求項３又は４に係る発明の締め付け状態目視確認装置において、前記板状部材は、前記ネジ部材が前記ネジ穴に締め付けられていないとき前記プレートを上方から見えないようにする遮蔽板、又は前記ネジ部材が前記ネジ穴に締め付けられているとき前記プレートを上方から見えないようにする遮蔽板を有していることを特徴とする。
【００１２】
上記の課題を解決するための請求項６に係る発明は、請求項１又は２に係る発明の締め付け状態目視確認装置において、前記リング状部材は、前記弾性部材の一端に設けられた第１のプレートと他端に設けられた第２のプレートを有し、前記第１のプレート及び前記第２のプレートは、前記ネジ部材が前記ネジ穴に締め付けられていないときに少なくとも一部が重なり合うとともに、前記ネジ部材が前記ネジ穴に締め付けられているとき重なり合わないように設けられていることを特徴とする。
【００１３】
上記の課題を解決するための請求項７に係る発明は、請求項１〜６に係る発明の締め付け状態目視確認装置において、前記リング状部材の円周上に応力吸収部を有していることを特徴とする。
【発明の効果】
【００１４】
請求項１に係る発明によれば、ネジ部材がネジ穴に締め付けられていないときとネジ部材がネジ穴に締め付けられているときとで、リング状部材の中間部の直径が変化し、その直径の変化に応じてプレートの位置が変化するので、ネジ部材から離れたところからでも目視し易いプレートの位置の変化を確認することによって、ネジ部材がネジ穴に締め付けられているか否かを確実に判断することができる。
【００１５】
請求項２に係る発明によれば、請求項１に係る発明による効果に加え、ネジ穴上部の直径がリング状部材の中間部の直径より大きい場合でも、ネジ部材の締め付けによってリング状部材の中間部の直径を変化させることができ、また、板状部材下面とネジ穴上部の間にＯリング等の密封部材を配置して密封性を向上することができる。
【００１６】
請求項３に係る発明によれば、請求項１又は２に係る発明による効果に加え、ネジ部材がネジ穴に締め付けられていないときのプレートと板状部材との相対位置及びネジ部材がネジ穴に締め付けられているときのプレートと板状部材との相対位置が固定的な関係となるので、板状部材とプレートとの相対的な位置関係を確認するだけでネジ部材の締め付けが完了しているか否かを判断することができる。
【００１７】
請求項４に係る発明によれば、請求項３に係る発明による効果に加え、板状部材の上面部分に設けられる第１の表示又は第２の表示とプレートとの位置関係を目視するだけで板状部材とプレートとの相対的な位置関係を確認することができるので、プレート位置の確認に習熟していない者であっても容易にネジ部材の締め付けが完了しているか否かを判断することができる。
【００１８】
請求項５に係る発明によれば、請求項３又は４に係る発明による効果に加え、板状部材が有する遮蔽板とプレートとの位置関係を目視するだけで板状部材とプレートとの相対的な位置関係を確認することができるので、プレート位置の確認に習熟していない者であっても容易にネジ部材の締め付けが完了しているか否かを判断することができる。
【００１９】
請求項６に係る発明によれば、請求項１又は２に係る発明による効果に加え、ネジ部材がネジ穴に締め付けられていないときには第１のプレートと第２のプレートの少なくとも一部が重なり合い、ネジ部材がネジ穴に締め付けられているときには第１のプレートと第２のプレートが重なり合わない状態となるので、第１のプレートと第２のプレートが重なっているかいないかを確認するだけでネジ部材の締め付けが完了しているか否かを判断することができる。
【００２０】
請求項７に係る発明によれば、請求項１〜６に係る発明による効果に加え、ネジ部材の開閉によるリング状部材の直径の変化が繰り返し行われたとしても、リング状部材に掛かる応力が分散されるため破断などが防止され、長期に渡って使用することができる。
【図面の簡単な説明】
【００２１】
【図１】実施例１に係る締め付け状態目視確認装置の斜視図。
【図２】実施例１に係る締め付け状態目視確認装置が取り付けられた密封栓をネジ穴に締め付けていく過程を示す図。
【図３】実施例２に係る締め付け状態目視確認装置が取り付けられた密封栓をネジ穴に締め付ける前の状態と締め付けた後の状態を示す図。
【図４】実施例３に係る締め付け状態目視確認装置が取り付けられた密封栓をネジ穴に締め付けていく過程を示す図。
【図５】リング状部材に応力吸収部６を複数箇所設けた変形例を示す図。
【図６】ネジ部材の頭部の上面にツマミを設けた変形例を示す図。
【発明を実施するための形態】
【００２２】
以下、実施例１〜３によって本発明の実施形態を説明する。
【実施例１】
【００２３】
実施例１に係る締め付け状態目視確認装置１の斜視図を図１に、同装置１が取り付けられた密封栓を液面計のケースに設けてあるネジ穴１７に締め付けていく過程を図２に示す。
そして、実施例１に係る締め付け状態目視確認装置１は次の各構成部材からなっている。
（ａ）頭部の上面にドライバー等の工具を受け入れる溝部２を設けるとともに、頭部の下面に環状のテーパー面３を設けたネジ部材４。
（ｂ）１本の細長い弾性部材を、ネジ部材４の下部の直径より大きくテーパー面３の上部の直径より小さい直径の円となるように曲げてなるとともに、弾性部材の一端に矩形のプレート５が設けられ、弾性部材のほぼ中央に応力吸収部６が設けられ、弾性部材の他端に折り曲げ部７が設けられているリング状部材８。
（ｃ）ネジ部材４の下部を差し込むことができ、かつ、リング状部材８の外径より小さい直径の穴９、及び折り曲げ部７が差し込まれる固定穴１０を有するとともに、折り曲げ部７を固定穴１０に差し込んだ時プレート５が位置する部分に対応する上面部分（図２では左側）を青く、位置しない部分に対応する上面部分（図２では右側）を赤く塗り、かつ、青の領域１１にＯＫの文字１２、赤の領域１３にＮＧの文字１４を表示した板状部材１５。
【００２４】
実施例１に係る締め付け状態目視確認装置１が取り付けられた密封栓を液面計のケースに設けてあるネジ穴１７にねじ込む際には、固定穴１０に折り曲げ部７を差し込んでリング状部材８を板状部材１５の上面にセットし、ネジ部材４を板状部材１５の上面側から差し込んだ後に、ネジ部材４の下部側からＯリング１６を嵌めて、板状部材１５の下面に接触するまで押し込む。
その後、ネジ部材４の下部先端をネジ穴１７の上に置き、ドライバーを溝部２に押し付けて回転させ、ネジ部材４の下部をネジ穴１７にねじ込んでいくと、図２（１）の状態に至り、さらにネジ部材４をねじ込むことで最終的には図２（３）の状態となる。
以下では、図２（１）〜（３）を用いて、ネジ部材４のねじ込み状態と、プレート５の位置及び板状部材１５の見え方について順を追って説明する。
【００２５】
（１）ネジ部材４をねじ込み、Ｏリング１６がネジ穴１７の上端の周囲と板状部材１５の穴９の周囲にちょうど接触した状態が図２（１）であり、この時プレート５は固定穴１０の近く（板状部材１５の左側）に位置している。
そのため、青の領域１１及びＯＫの文字１２はプレート５で覆われて見えず、赤の領域１３及びＮＧの文字１４だけが見える。
（２）ネジ部材４をねじ込んでいき、Ｏリング１６がネジ穴１７の上端の周囲と板状部材１５の穴９の周囲との間で圧縮されるとともに、テーパー面３がリング状部材８に少しくい込んだ状態が図２（２）であり、この時プレート５は上記（１）の状態より右側（板状部材１５の中央）に位置している。
そのため、青の領域１１の右側及びＯＫの文字１２はプレート５で覆われて見えず、赤の領域１３の右側及びＮＧの文字１４だけが見える。
（３）ネジ部材４をさらにねじ込み、Ｏリング１６がネジ穴１７の上端の周囲と板状部材１５の穴９の周囲との間でしっかり圧縮され完全に密封された状態になるとともに、テーパー面３がリング状部材８に完全にくい込んだ状態が図２（３）であり、この時プレート５は上記（２）の状態よりさらに右側（板状部材１５の右側）に位置している。
そのため、青の領域１１及びＯＫの文字１２だけが見え、赤の領域１３及びＮＧの文字１４は見えない。
【００２６】
このように、ネジ部材４のネジ穴１７に対する締め付けによる密封状態に応じてプレート５が移動し、板状部材１５の上面に施された色や表示の見え方が変化するので、作業者は密封栓がネジ穴１７にしっかり締め付けられ密封されているか否かを間違いなく判断することができる。
【実施例２】
【００２７】
実施例２に係る締め付け状態目視確認装置が取り付けられた密封栓をネジ穴１７に締め付ける前の状態を図３（１）に、同密封栓がネジ穴１７に締め付けられた状態を図３（２）に示す。
図３に示すように、実施例１と実施例２の違いは、プレート５の上面が赤く塗られ、かつ、その赤の領域１８にＮＧの文字１９が表示されている点と、実施例１の板状部材１５における赤の領域１３に代えて遮蔽板２０が設けられ、ネジ部材４のネジ穴１７への締め付けが完了しているとき、プレート５が遮蔽板２０の下側に入り込んで見えないようになっている点である。
【００２８】
そして、実施例２に係る締め付け状態目視確認装置が取り付けられた密封栓においても、ネジ部材４のネジ穴１７に対する締め付け状態に応じてプレート５が移動し、プレート５の上面に施された色や表示及び板状部材１５の上面に施された色や表示の見え方が変化するので、作業者は密封栓がネジ穴１７にしっかり締め付けられているか否かを間違いなく判断することができる。
【実施例３】
【００２９】
実施例３に係る締め付け状態目視確認装置が取り付けられた密封栓をネジ穴１７に締め付けていく過程を図４（１）〜図４（３）に示す。
図４に示すように、実施例１と実施例３の違いは、リング状部材８の弾性部材の一端に設けられているプレート５に代えて円形の第１のプレート２１が設けられるとともに、同弾性部材の他端に設けられている折り曲げ部７に代えて、上面が青く塗られ、かつ、その青の領域２２にＯＫの文字２３が表示されている円形の第２のプレート２４が設けられている点と、板状部材１５の上面に固定穴１０、青の領域１１、ＯＫの文字１２、赤の領域１３及びＮＧの文字１４が設けられていない点である。
【００３０】
そして、実施例３に係る締め付け状態目視確認装置が取り付けられた密封栓においては、ネジ部材４のネジ穴１７に対する締め付け状態に応じて、第１のプレート２１と第２のプレート２４が相対的に移動し、同密封栓をネジ穴１７に締め付ける前の状態においては図４（１）に示すように、第１のプレート２１と第２のプレート２４が完全に重なって、第２のプレート２４に施されている青の領域２２及びＯＫの文字２３が見えず、同密封栓をネジ穴１７に締め付ける途中の状態においては図４（２）に示すように、第１のプレート２１と第２のプレート２４の一部が重なって、第２のプレート２４に施されている青の領域２２及びＯＫの文字２３の一部が見え、同密封栓がネジ穴１７に締め付けられた状態においては図４（３）に示すように、第１のプレート２１と第２のプレート２４が重ならず、第２のプレート２４に施されている青の領域２２及びＯＫの文字２３が完全に見える。
したがって、第２のプレート２４の上面に施された色や表示の見え方を確認するだけで、作業者は密封栓がネジ穴１７にしっかり締め付けられているか否かを間違いなく判断することができる。
【００３１】
実施例１〜３の締め付け状態目視確認装置に関する変形例を列記する。
（１）実施例１〜３は、ネジ部材４を有する密封栓が液面計のケースに設けてあるネジ穴１７に締め付けられているか否かを確認し易くするための締め付け状態目視確認装置１についてのものであるが、本発明は液面計に限らず、ネジ部材を有する栓の締め付けや栓をねじ込むことによる密閉の確認が求められる全ての装置に応用することが可能である。
（２）実施例１〜３においては、ネジ部材４を板状部材１５の上面側から差し込み、ネジ部材４の下部側からＯリング１６を嵌めた上でネジ穴１７にねじ込んだが、ネジ穴１７の上部の直径がリング状部材８の中間部の直径より小さく、ネジ穴１７の上部にＯリング１６を設ける必要がなければ、板状部材１５を省略しリング状部材８を差し込んだネジ部材４を直接ネジ穴１７にねじ込んでも良い。
（３）実施例１においてはプレート５の移動を見やすくするため、板状部材１５の上面に青の領域１１、ＯＫの文字１２、赤の領域１３及びＮＧの文字１４を施し、実施例２においてはプレート５の移動を見やすくするため、プレート５の上面に赤の領域１８及びＮＧの文字１９、板状部材１５の上面左側に青の領域１１及びＯＫの文字１２を施すとともに、板状部材１５の右側に遮蔽板２０を設けてあり、また、実施例３においては第１のプレート２１及び第２のプレート２４の移動を見やすくするため、第２のプレート２４に青の領域２２及びＯＫの文字２３が施してあるが、プレート５又は第１のプレート２１及び第２のプレート２４にある程度の面積があれば、離れた位置からその移動状態を確認することができるので、これらの色、文字及び遮蔽板２０はなくても良い。
また、色と文字を併せて施す代わりにいずれか一方のみを施しても良い。
（４）実施例２においてはプレート５の移動を見やすくするため、プレート５の上面に赤の領域１８及びＮＧの文字１９、板状部材１５の上面左側に青の領域１１及びＯＫの文字１２を施すとともに、板状部材１５の右側に遮蔽板２０を設けてあるが、プレート５の上面に青の領域及びＯＫの文字、板状部材１５の上面右側に赤の領域及びＮＧの文字を施すとともに、板状部材１５の左側に遮蔽板２０を設けても良い。
（５）実施例１及び２においては、リング状部材８に折り曲げ部７を設けるとともに、板状部材１５に固定穴１０を設け、折り曲げ部７を固定穴１０に差し込むことによって、リング状部材８を板状部材１５に固定しているが、折り曲げ部７と固定穴１０に限らず、リング状部材８を板状部材１５に固定できれば、ネジ、釘、接着等どのような手段を用いても良い。
また、リング状部材８の他端を固定するとプレート５の移動量が最も大きくなるが、プレート５から離れている他端側であれば、リング状部材８のどの部分を固定しても良い。
さらに、上記変形例（１）で説明したように、板状部材１５に色、文字及び遮蔽板２０を施さない場合には、リング状部材８を板状部材１５に固定せず、リング状部材８の他端側と板状部材１５が接触する部分を滑りにくくするだけでも、プレート５の動きを目視することによって密封栓がネジ穴１７にしっかり締め付けられているか否かを判断することが可能である。
（６）実施例１及び２においては、折り曲げ部７が差し込まれる固定穴１０を板状部材１５の左側に設けているが、固定穴１０を板状部材１５の右側に設け、ネジ部材４をねじ込んでいくとプレート５が左側に移動していくようにしても良い。
そうした場合、図２では青の領域と赤の領域を逆にするとともにＯＫとＮＧを逆にし、図３では遮蔽板２０を左側に設けるとともに、右側に青の領域とＯＫの文字を設けることとなる。
（７）実施例３においては、リング状部材８を板状部材１５に固定していないが、第１のプレート２１及び第２のプレート２４と板状部材１５との相対位置を固定するため、リング状部材８のいずれかの部分を板状部材１５に固定するようにしても良い。
（８）実施例１〜３においては、弾性部材のほぼ中央にＲ状の応力吸収部６を設けているが、応力吸収部６は１箇所に限らず、図５（１）に示すように２箇所設けても良く、図５（２）に示すように３箇所設けても良い。また設ける場所については任意の場所で良く、形状についてはＲ状に限らず、くの字状やコの字状等適宜の形状で良い。
そして、応力吸収部６は複数箇所設けた方が、ネジ穴１７に締め付けてある密封栓を外した時における残留応力をより小さくすることができる。
（９）実施例１〜３においては、ネジ部材４の頭部の上面にドライバー等の工具を受け入れる溝部２を設けているが、図６（１）及び（２）に示すように溝部２に代えてツマミ２５を設けても良く、また、ネジ部材４の頭部を六角柱状に形成しボックスレンチ等を用いて締め付けられるようにしても良い。
（１０）実施例１及び２においては、プレート５の形状は矩形とし、実施例３においては、第１のプレート２１及び第２のプレート２４の形状は円形としたが、これらはいずれも矩形や円形に限らず、離れた位置から見えやすい大きさのものであればどのような形状でも良い。
【符号の説明】
【００３２】
１  締め付け状態目視確認装置      ２  溝部      ３  テーパー面
４  ネジ部材      ５  プレート      ６  応力吸収部
７  折り曲げ部      ８  リング状部材      ９  穴
１０  固定穴      １１  青の領域      １２  ＯＫの文字
１３  赤の領域      １４  ＮＧの文字      １５  板状部材
１６  Ｏリング      １７  ネジ穴      １８  赤の領域      １９  ＮＧの文字
２０  遮蔽板      ２１  第１のプレート      ２２  青の領域
２３  ＯＫの文字      ２４  第２のプレート      ２５  ツマミ
【図１】
2016169845.tif 000003
【図２】
2016169845.tif 000004
【図３】
2016169845.tif 000005
【図４】
2016169845.tif 000006
【図５】
2016169845.tif 000007
【図６】
2016169845.tif 000008